Podtech/llm-jp-corpus-v4-ja_patent huggingface dataset:
(57)【要約】【課題】ACアダプタをより小型化し、持ち運びを便利にすること。【解決手段】AC-DCコンバータを含む筐体の幅をプラグの両刃間の距離より小さくし、AC-DCコンバータを含む筐体をプラグの両刃間で軸と接続して、回転が可能である構造にする。これにより、プラグの両刃間にAC−DCコンバータ回路を含む筐体を収納できるようにする。また、プラグの刃と刃が向かい合う面には導体が配置し、それ以外の面では絶縁体で覆い、感電に対する安全性を確保していること。【選択図】図３
2012160342.tif 000002
【特許請求の範囲】
【請求項１】
プラグの刃と刃の間の距離よりも電圧変換回路が入った筐体の幅が小さい部分を有し、前記の筐体とプラグが軸により接続され互いに回転でき、プラグの両刃間に前記の筐体が収納できること。
【請求項２】
請求項１のプラグにおいて、プラグの刃と刃が向かい合う面には導体が配置され、それ以外の面では絶縁体で覆われていること。
【請求項３】
電圧変換回路が入った筐体が電子機器などへの電源供給用の接続端子を有する請求項１のACアダプタ。
【請求項４】
電圧変換回路が入った筐体内に二次電池を有する請求項１のACアダプタ。
【発明の詳細な説明】
【技術分野】
【０００１】
本発明はACアダプタの小型化に関するものである。
【背景技術】
【０００２】
ACアダプタは商用のAC電源から直流への変換と電圧変換とを行い、特定の電圧が必要な電子機器などへ電力を供給するためのものである。
【０００３】
特にポータブルの電子機器用のACアダプタの大きさが本体と比較して大きく、ACアダプタを携帯するのに不便さが感じられることもあり、ACアダプタの小型化が図られている。
【０００４】
小型化を図るため、特許文献１ではプラグがケースに対して90°回転し、ケースに収容することが行われている。
【先行技術文献】
【特許文献】
【０００５】
【特許文献１】特許第4123154
【特許文献２】特開平05-152026
【特許文献３】特開平11-224717
【特許文献４】特開平11-329562
【特許文献５】実開平07-018371
【発明の概要】
【発明が解決しようとする課題】
【０００６】
解決しようとする課題は、ACアダプタをさらに小型化させる方法である。
【０００７】
従来のACアダプタはプラグの幅よりも筐体の方が大きいため、プラグである２つの刃の間のスペースが無駄になっていた。
【課題を解決するための手段】
【０００８】
本発明は、プラグの両刃の間にAC-DCコンバータの回路とその筐体を収納できる構造を提供する。
【発明の効果】
【０００９】
プラグの両刃間に回路を収めるため、無駄なスペースを省き、更なる小型化が図れる。
【図面の簡単な説明】
【００１０】
【図１】図１はAC-DCコンバータ回路入りの筐体をプラグ間に収納した時の図である。（実施例１）
【図２】図２はACアダプタを使用する時の図である。（実施例１）
【図３】図３はACアダプタを使用する時の図である。（実施例１）
【図４】図４はプラグの刃と刃の位置関係と構造を示した図である。（実施例１）
【図５】図５はプラグの刃の詳細な構造である。（実施例１）
【図６】図６はプラグの刃の詳細な構造である。（実施例１）
【図７】図７は電子機器などへの接続端子を筐体に搭載した場合の図である。（実施例２）
【発明を実施するための形態】
【００１１】
電源のプラグの刃と刃の間のスペースを利用して、ACアダプタを小型化する方法である。
【実施例１】
【００１２】
AC-DCコンバータ回路入りの筐体はプラグの刃と刃の距離よりも小さい幅を有する部分がある。
【００１３】
AC-DCコンバータ回路入りの筐体はプラグの元にある軸で接続され、回転が可能である。
【００１４】
AC-DCコンバータ回路入りの筐体は、回転させたときにプラグと干渉しない部分であれば、プラグの刃と刃の距離よりも大きい幅をもつ場合もある。
【００１５】
図１はAC-DCコンバータ回路入りの筐体をプラグの両刃間に収納した時の図であり、刃と刃の間のスペースを利用して収納がなされており、小型化を図られている。
【００１６】
図２はAC-DCコンバータ回路入りの筐体を収納した状態からプラグを１８０°回転させた状態、図３は９０°回転させた状態であり、ともに商用電源のプラグ受けにプラグを差し込める状態である。
【００１７】
また、AC-DCコンバータ回路入りの筐体とプラグには角度を固定するための止め金や動きを制限するための機構を適宜有することもある。
【００１８】
図４にプラグの構造を示す。プラグは商用電源のプラグ受けに差し込まれる刃の部分とそれと９０°曲げられている軸部分がある。対になるプラグの軸は絶縁体をはさんで互いに固定され、円筒状の軸が形成されている。
【００１９】
プラグの元の部分にある軸（図４）と刃は導電体であり、プラグの両刃からの電流をAC-DCコンバータ回路へ供給できるよう電気的にも接続されている。
【００２０】
プラグの刃はAC-DCコンバータ回路入りの筐体の外側に位置するため、プラグの刃がすべて導電体で構成されている場合、商用電源のプラグ受けに差し込む際に感電する可能性がある。
【００２１】
そのため、図５、図６のようなプラグの刃の構造にし、手が接触しないプラグの刃の内側にのみ導電体を使い、あとは絶縁体で覆う構造とする。
【００２２】
上記の構造により、小型化と安全性および剛性を確保し、持ち運びの容易性を向上させたACアダプタを提供する。
【実施例２】
【００２３】
実施例１のAC-DCコンバータ回路入りの筐体が電子機器などへの電力供給用の接続端子をもち、携帯性を向上させる場合もある。（図７参照）。
【実施例３】
【００２４】
実施例１または２のAC-DCコンバータ回路入りの筐体が二次電池を有し、商用電源がない場合でも電子機器などへの電力供給ができるようにすることもできる。
【産業上の利用可能性】
【００２５】
本発明はACアダプタを小型化できる有用な方法であり、小型ポータブル機器の使用方法の変革が行えるものである。
【符号の説明】
【００２６】
１    AC-DCコンバータ回路入りの筐体
２    プラグの刃
３    絶縁体
４    導電体
５    軸
６    配線
７    電子機器などへの接続端子
【図１】
2012160342.tif 000003
【図２】
2012160342.tif 000004
【図３】
2012160342.tif 000005
【図４】
2012160342.tif 000006
【図５】
2012160342.tif 000007
【図６】
2012160342.tif 000008
【図７】
2012160342.tif 000009
(57)【要約】【課題】室内等で前屈運動をするとき、日々の運動でどれくらい曲がるように変化しているか、具体的な目盛で、目安として確認することは不可能だった。  本発明は、前屈運動をするときの曲がり加減を、目安として確認するために使える靴下を提供する。【解決手段】通常の膝下までの靴下に、左右それぞれに、１センチメートル単位等の目盛を設けるが、目盛は、両脚の脛からつま先を通って足の裏中央部までと、脚の内側膝下から踵辺りまでとすることを特徴とする目盛付靴下。【選択図】図１
2012172292.tif 000002
【特許請求の範囲】
【請求項１】
通常の膝下までの靴下に、左右それぞれに、１センチメートル単位等の目盛を設けるのであるが、目盛は、両脚の脛からつま先を通って足の裏中央部までと、脚の内側膝下から踵辺りまでとすることを特徴とする目盛付靴下。
【発明の詳細な説明】
【技術分野】
【０００１】  本発明は、前屈運動をするときの曲がり加減を、目安として確認するために使える靴下に関するものである。
【背景技術】
【０００２】  従来、室内等において前屈運動をするとき、曲がり加減を目安とするものがなく、日々の前屈運動に目標や達成感を見いだすことが難しかった。
【発明の概要】
【発明が解決しようとする課題】
【０００３】  室内等で前屈運動をするとき、日々の運動でどれくらい曲がるように変化しているか、目安として、具体的な数字で確認することは不可能だった。
本発明は、以上の問題点を解決するためになされたものである。
【課題を解決するための手段】
【０００４】  通常の膝下までの靴下に、左右それぞれに、１センチメートル単位等の目盛を設けるのであるが、目盛は、両脚の脛からつま先を通って、足の裏中央部までと、脚の内側膝下から踵辺りまでとする。
以上の構成よりなる目盛付靴下。
【発明の効果】
【０００５】  本発明は、前屈運動をするとき、身体の柔軟性の加減を、目安として、具体的な目盛で確認することができる。
さらに、柔軟性を養うという運動の意欲を刺激して、努力を継続させることに役立つことができる。
【図面の簡単な説明】
【０００６】
【図１】本発明の側面図
【図２】本発明使用状態を脚外側方向から見た図
【発明を実施するための形態】
【０００７】  以下、本発明の実施の形態を説明する。
（イ）通常の膝下までの靴下に、左右それぞれに、１センチメートル単位等の目盛（３）を設けるのであるが、目盛（３）は、両脚の脛（１）からつま先（２）を通って足の裏（６）中央部までと、脚の内側膝下（４）から踵（５）辺りまでとする。
本発明は、以上のような構造である。
本発明を使用するときは、
（イ）通常の靴下と同じように、左右それぞれに履き、床や地面に両足を前に伸ばして座る。
（ロ）上体を静かに前に倒し、両手をつま先（２）方向に伸ばして、前屈運動を行う。このとき両手指先の届く位置で、身体の柔軟性の加減を、目盛（３）で確認し、目安とすることができる。
（ハ）また、両足を開いて立ったままの姿勢で、上体を静かに前に倒し、両手をつま先（２）方向に向かって伸ばして、前屈運動を行う。このとき両手の届く位置で、身体の柔軟性の加減を、目盛（３）で確認し、目安とすることができる。
【符号の説明】
【０００８】  １  脛、２  つま先、３  目盛、４  脚の内側膝下、５  踵、６  足の裏
【図１】
2012172292.tif 000003
【図２】
2012172292.tif 000004
(57)【要約】【課題】プラスチック成形品を取り出すロボットのチャックの吸盤は位置の微調整が難しい。【解決手段】吸盤のパットの固定中芯軸と、吸盤面の中心軸の偏芯寸法の、違う吸盤に、交換する。もしくは、ずれた分に応じて吸盤パットを回してはめ変える。【選択図】図１
2012172844.tif 000002
【特許請求の範囲】
【請求項１】
吸盤取り付け中心軸と、吸盤面の中心軸を偏芯させた吸盤
【発明の詳細な説明】
【技術分野】
【０００１】プラスチック成型機の製品取り出し機のチャックや組み立てロボットの吸盤に、関する
【背景技術】
【０００２】チャックの吸盤は製品の凹凸の無い平面に。厳密に位置を合わせないと空気が入って吸着できない。
【発明の開示】
【発明が解決しようとする課題】
【０００３】チャックの金属板に開けた、吸盤ユニットの固定穴が微妙に合わない時が多い。その時吸盤の取り付け位置を合わせるにははやすりで穴を広げてユニットをずらすしかない。
【発明の効果】
【０００４】  数ミリの位置のずれなら吸盤を交換するか回転してはめ変えるだけでよい。
【発明を実施するための最良の形態】
【０００５】  吸盤の取り付け軸と、吸盤面中心をずらせてあればその吸盤は、つける角度によって吸盤面の位置がユニットを固定したままで、吸着面を偏芯量分だけ、移動できる。
【実施例１】
【図面の簡単な説明】
【０００６】
【図１】金属板の穴と、ユニットに本考案の吸盤を組み付ける前の状態
【図２】吸盤ユニットのピッチより小さい製品を本考案の吸盤が吸着する状態
【産業上の利用可能性】
【０００７】  小さいサイズの成型品は吸着面が少ないし、リブや溝を避けて高速で金型より離型される成型製品を、ミス無くキャッチするには離型後の落下を考慮するなど、寸法どおりいかないので、現場合わせのときに吸盤を回転してつけかえるだけで調整が容易。戻すことも容易。【０００８】  吸盤は軟質樹脂で出来ているので吸盤ユニットにはめ込んで固定しているが、吸盤ユニットのピッチより小さい成型品は吸着できないが偏芯しているとぎりぎりのところでも吸着できる。
【符号の説明】
【０００９】１    吸着面２    吸盤固定穴３    吸盤固定ユニット４    金属板ユニット固定穴５    成型製品
【図１】
2012172844.tif 000003
【図２】
2012172844.tif 000004
(57)【要約】      （修正有）【課題】水着着用の安全、日陰問題に対する多目的パラソールの提供。【解決手段】パラソール軸６にテーブル４を取り付け、両サイドに布地７を広げ日陰を増幅、又、両サイドの布７にてパラソール１に囲いを作り外部からの安全を図る。【選択図】図１
2012172509.tif 000002
【特許請求の範囲】
【請求項１】
パラソール支柱の中間部にテーブルを取り付け、パラソールの両側に日除け部設けて両サイドにパイプを設け、先端に支持金具を取り付けた多目的パラソール
【発明の詳細な説明】
【技術分野】
【０００１】  本発明は、海水浴場にて簡易に、水着の着替え、テーブルの設定、日除け等が出来る様に工夫した多目的パラソールに関するものである。
【背景技術】
【０００２】  従来海水浴場に於いて、海岸にシートを敷き、砂の中にパラソールの柱を立て日陰を確保し飲食、休憩等をするのが一般的であった。
【発明の概要】
【発明が解決しようとする課題】
【０００３】  従来、海水浴場に於いては、パラソールの設定砂地にシートを広げその上にて飲食をするも飲食物等のバランス悪く、パラソールの面積は少なかった。
又、パラソールの支柱を砂地に差し込む際深くはいらず風に倒れる等の欠点があった。
【課題を解決するための手段】
【０００４】  上記欠点を解決するため本発明は、パラソール支柱の中間部にテーブルを取り付け、パラソール両側に日除け部を設け、両サイドにパイプを設け、先端に支持金具を設けた多目的パラソールである。
【発明の効果】
【０００５】  従来、海水浴場にて安全な着替え、風によるパラソールの倒れもなくなり、飲食物等の安全なる設置が安心して実行できる。
【図面の簡単な説明】
【０００６】
【図１】本発明の使用状態を示した斜視図
【図２】本発明の使用状態を示した斜視図
【図３】本発明の説明図
【図４】本発明の説明図
【図５】本発明の説明図
【発明を実施するための形態】
【０００７】  以下、本発明の実施の形態を説明する。
両サイドにパイプを設け、パラソール支柱の中間部にテーブルを取り付け、パラソールの両側に日除け部を設け、先端に支持金具を取り付けた多目的パラソール。
本発明は、以下のような構造である。
（イ）パラソール支柱にテーブル（２）取り付け部品を取り付け、ストッパー（５）にて位置ロック」。
（ロ）テーブル支持金具（３）を押し入れる。
（ハ）テーブル（４）を乗せる。
（ニ）パラソール支持金具（１０）を砂の中に押し入れる。
（ホ）パラソール（６）を入れ込む。
（ヘ）位置を計り、支柱（９）の下部金具（１０）を４ケ所砂の中に押し入れる。
（ト）両サイド支柱（９）を立てる。
（チ）両サイドシート（７）を（１）の各穴にかける。
（リ）両サイドシシート止め金具（１１）を（１２）のパイプにかける。
本発明を使用する時は、パラソール支柱にテーブル部品（２）を差し込み、パラソール支柱を立てる位置の砂地にパイプ支持金具（１０）を埋め込みパラソール支柱（６）をパイプ支持金具（１０）に差し込む。
同じくパイプ支持金具（１０）４本を両サイド支柱（９）を立てる位置に埋め込み両サイド支柱（９）を夫々のパイプ支持金具（１０）に差し込む。
パラソール（１）の各穴に両サイドシート（７）をシート止め金具（１１）にて掛け両サイドシートの反対サイドをシート止め金具（１１）を金具取り付け梁（１２）に掛ける。
海水着の着替時には、両サイドシートの止め金具（１１）を梁（１２）より外して図２の様に各４カ所マジックテープで止めて使用する。
【符号の説明】
【０００８】１パラソール、  ２テーブル取り付け部品、  ３テーブル支持金具、  ４テーブル、
５テーブル部品ストッパー、  ６パラソール支柱、  ７両サイドシート、
８マジックテープ、  ９両サイド支柱、  １０各パイプ支持金具、
１１シート止め金具、  １２両サイドシート取り付け梁
【図１】
2012172509.tif 000003
【図２】
2012172509.tif 000004
【図３】
2012172509.tif 000005
【図４】
2012172509.tif 000006
【図５】
2012172509.tif 000007
(57)【要約】【課題】特定の期間内のみ利用でき、簡単に複写できる鍵で施錠と防犯機能を兼ねた連用上、柔軟性と防犯性をもった施錠装置を提供すること。【解決手段】二次元コードを特定の有効期間のデータ鍵として、これをカメラ装置で読取ると共に映像用に用いて、データ鍵に基づくデータを記録、映像録画、開閉制御する制御装置が電気錠等に接続した構成からなる。【選択図】図１
2012172508.tif 000002
【特許請求の範囲】
【請求項１】
カメラによる二次元コードデータの読取り用と映像用を持つデータ処理装置と制御装置とで構成され、これらが電気錠等に接続し起動する二次元コード施錠防犯装置。
【請求項２】
請求項１の制御装置は、映像の録画と読取りデータに基づくデータの記録ができる二次元コード施錠防犯装置。
【請求項３】
請求項１および請求項２に利用する二次元コードデータは、特定期間の年月日時間データまたは曜日データと特定固有認証データと取消し認証データを有したものを暗号化したことを特徴とした二次元コード施錠防犯装置。
【発明の詳細な説明】
【技術分野】
【０００１】  出入り口に設ける施錠と防犯装置に関するものである。
【背景技術】
【０００２】  従来の施錠では、使用する鍵やカード鍵等が限定された入手者だけが利用できた。または、暗証番号式の鍵は番号設定を変更しない限り、番号を知り得たものが限りなく利用できた。また、防犯用に映像を収録する場合は別途に、防犯カメラによる映像録画装置を設けた。
【発明概要】
【発明が解決しようとする課題】
【０００３】  本発明は特定の期間内のみ利用でき、簡単に複写できる鍵で施錠と防犯機能を兼ねた運用上、柔軟性と防犯性をもった施錠装置を提供すること。
【課題を解決するための手段】
【０００４】  この施錠防犯装置を起動させる鍵は、特定の期間を記載した年月日時間データまたは曜日データ、特定固有認証データ、取消し認証データ等を暗号化した二次元コードデータから構成する。
【０００５】  データ鍵の二次元コードデータを読取ると共に、映像を収録するためのデータ処理装置と、起動制御回路、時間制御回路、収録制御回路、外部接続回路などから成る制御装置に電気錠等の開閉制御装置に接続して起動させる構成である。
【発明の効果】
【０００６】  この施錠防犯装置を利用する者が鍵として、二次元コードデータで記載された特定の期間のみ有効である。この二次元コードのデータ鍵は、印刷された画像または、携帯電話等の携帯端末画面で利用できる画像データなのである。よって、複写が簡単にでき利用有効期間内であれば、複数の利用者が保有し利用することができる。また、二次元コードのデータ鍵を発行後にキャンセルが生じた場合は、取消し認証データにより発行したデータ鍵を無効扱いにすることができる。
【０００７】  このデータ鍵の、読取りデータに基づくデータを記録すると共に、周囲の映像データを録画するこができる。
【０００８】  従って鍵に用いる二次元コードデータの授受は、直接行う他にファックス、電子メール等で簡単にできる。また、発行したデータ鍵を鍵としての機能を無効扱いできることで対応性にすぐれると共に、暗号化された二次元コードデータは不正が困難であり、データ記録及び映像録画により不正防止、防犯記録として対応する。
【図面の簡単な説明】
【０００９】
【図１】  本発明の構成図
【図２】  カメラ２個を配置した構成図
【発明を実施するための形態】
【００１０】  データ処理装置１のカメラ１ａは、二次元コード読取り用と映像用を一個のカメラで兼用するのを基本とするが、設置条件によっては個々にカメラを設け、各データの処理をして制御装置２に送る。
【００１１】  制御装置２は、起動制御回路２ａ、時間制御回路２ｂ、収録制御回路２ｃ、外部接続回路２ｄなどから構成され、データ処理装置１で読取ったデータの解析照合や記録処理および映像録画と共に、ドア等の開口部施錠としての電気錠３の開閉制御を行う。この時間制御に用いる時間補正は、電波時計を受信することで時間の自動補正を行う。
【００１２】  また、外部接続回路２ｄで必要に応じてモニター２ｅでの映像表示やパソコン、インターネットを用いて、映像管理や読取りデータに基づくデータの管理を行う。
【００１３】  データ鍵４は、二次元コードをデータとして特定の利用有効期間データ、特定固有認証データ、取消し認証データ等の内容を暗号化し、これを印刷した画像または携帯電話等の携帯端末の画面に表示された画像データを用いる。
【実施例】
【００１４】  図１は、二次元コード読取り用と映像用を兼ねたカメラ１ａがデータ処理装置１と制御装置２が、ドアに設置した電気錠３へ接続されている。利用者４ａが用いる二次元コードからなるデータ鍵４を、カメラ１ａにかざす動作をすることで、二次元コードのデータ内容をデータ処理装置１で有効年月日時間データまたは、曜日データ、特定固有認証データ、取消し認証データ等を読取ると共に、周囲の映像をデータ処理して制御装置２に送る。データ鍵４の暗号化されたデータを解析照合し、有効であれば制御装置２を返して、電気錠３を起動させることでドア５を開閉させる。また、データ鍵４が無効であれば制御装置２を返して電気錠３は起動せずドア５は開閉できない。【００１５】  データ処理装置１から制御装置２に送られたデータ鍵４に基づくデータを記録すると共に、周囲映像データを録画する。これらのデータは、制御装置２内のメモリーチップまたは、メモリーカードなどに収録し必要に応じて外部のパソコン等で解析する。必要に応じ、外部接続回路２ｄを返してモニター２ｅでの映像表示や、インターネットを用いた映像管理や読取りデータに基づくデータの管理をする。【００１６】  二次元コードのデータ鍵４は、特定の有効期間データ、特定固有認証データ、取消し認証データ等の内容を暗号化する専用ソフトで作成する。このデータ鍵４の発行には、直接パソコン等から行うことやインターネットを返して専用サーバーから行うものとする。データ鍵４を発行後に、利用者４ａがキャンセルを生じた場合に対応するための取消し認証データを設定する。また、１単位の有効期間だけではなく、複数の有効期間もデータに記載できる。【００１７】  図２は、データ処理装置１に用いる二次元コード読取り用カメラの設置位置と、映像用カメラの設置位置が利用条件によっては、二次元コード読取り用のカメラ１ｂと映像用のカメラ１ｃとして、別々の位置に設ける。
【産業上の利用可能性】
【００１８】  複数のドアに対して１つの制御装置２で対応も可能であり、この二次元コード施錠防犯装置は、蓄電池等または太陽光、風力発電等でも対応が可能である。鍵を用いるものであれば対応が可能であるため、自動車等の鍵や入退出用のゲートにも応用できる。また、一括管理や防犯監視を図る上でインターネットを返して管理運営することもできる。
【符号の説明】
【００１９】１    データ処理装置
１ａ  カメラ
１ｂ  カメラ
１ｃ  カメラ
２    制御装置
２ａ  起動制御回路
２ｂ  時間制御回路
２ｃ  収録制御回路
２ｄ  外部接続回路
２ｅ  モニター
３    電気錠
４    データ鍵
４ａ  利用者
５    ドア
【図１】
2012172508.tif 000003
【図２】
2012172508.tif 000004
(57)【要約】      （修正有）【課題】π電子を利用した導電性高分子による集積回路の配線を作成し、従来の集積回路と同等の大きさで既存の物より大容量のメモリーデバイスを提供する。【解決手段】ベンゼンの様に分子を構成する原子が全て共役二重結合で結合し、その六員環をその共役二重結合を維持しながら多数結合させ、π電子による導電性を持つ高分子を合成し、この高分子のπ電子を利用して導電性を持たせ、分子レベルの配線幅を持つ配線を作成し、集積度を上げる。【選択図】図１
2012172148.tif 000002
【特許請求の範囲】
【請求項１】
炭素原子等により構成された六員環化合物で、これを構成する原子が共役二重結合で結合している六員環化合物が、共役二重結合を構成したまま平面状及び直線状に多数結合することを特徴とする導電性高分子化合物。
【発明の詳細な説明】
【技術分野】
【０００１】  この発明は、ベンゼンの様にｓｐ２混成軌道の炭素原子が６原子正六角形の形に結合し、これが直線状に多数結合し、全ての炭素原子が共役二重結合を形成し、そのπ電子を利用して導電性のある高分子を作成するものである。
【発明の概要】
【発明が解決しようとする課題】
【０００２】  現在の半導体の集積回路の配線の幅は理論的に限界に近づいており、これ以上素子の集積度を上げることは難しい。そこで高分子を直接配線に利用し、配線幅を狭くすることにより集積度を上げることを目的とする。【０００３】  現在の半導体を用いた回路ではなく、炭素原子等を用いて分子全体に共役二重結合を持つベンゼンの様な分子を結合させた高分子（ポリアセン化合物）を合成し、この高分子のπ電子を利用して導電性を持たせ、分子レベルの配線幅を持つ配線を作成し、集積度を上げる。【０００４】  現在のＬＳＩの様に半導体を用いた電子回路の配線ではなく、共役二重結合した分子全体にπ電子を持つ、π電子を伝導電子として利用する高分子を直接導電性の配線として利用することにより従来の電子回路の配線の幅より細い配線を実現する。将来的には配線だけでなくデバイス自体も分子で作成し、集積回路の集積度を上げるものである。
【発明を解決する手段】
【０００５】  このような目的を達成する本発明は、有機合成反応により図面（図１）に示す化学式Ｉ（ｎは１〜１０）の様な導電性のある高分子を合成してこれを配線に利用することにより集積度をあげる。なお図面（図１）の様に高分子の端は導電性の分子の幅を広げ、他の部分との結合が出来やすいようにしてある。
【発明の効果】
【０００６】  このような高分子によれば集積回路の集積度を上げる事が出来る。これにより集積回路を小型化できる。また従来の集積回路と同等の大きさで既存の物より大容量のメモリ等を作成できる。
【図面の簡単な説明】
【０００７】
【図１】  本発明の導電性高分子の構造図。高分子の両端は他の部分との接続がしやすいように分子の幅を広げてある。
【図１】
2012172148.tif 000003
(57)【要約】【課題】従来より使用されている家庭用ガスは、天然液化ガス、または石油液化ガスであり、それらは限りある資源である天然ガスから得られている。また、それらのほとんどは諸外国からの輸入に頼っている。  本発明は、排泄物と特殊薬剤を撹拌することによって発生するガスを、家庭用として利用可能な状態にするための自家ガス製造装置を提供する。【解決手段】排泄物と２種類の特殊薬剤を、適量で撹拌することによって発生するガスを、タンクと撹拌装置を利用して効率よく生成し、ガス管を経てガスボンベに貯蔵、家庭用ガスとして使用可能な状態にするための自家ガス製造装置。【選択図】図２
2012224828.tif 000002
【特許請求の範囲】
【請求項１】
排泄物と２種類の特殊薬剤を撹拌することで発生するガスを、家庭で使用可能な状態にするための自家ガス製造装置。
【発明の詳細な説明】
【技術分野】
【０００１】  本発明は、排泄物を利用し、家庭で使用可能なガスを作り出す自家ガス製造装置に関するものである。
【背景技術】
【０００２】  従来使用されている家庭用ガスの多くは、天然ガス由来の天然液化ガスや液化石油ガスで、それらは限りある資源を利用している。
また、諸外国からの輸入に頼っているのが現状である。
【発明の概要】
【発明が解決しようとする問題】
【０００３】  限りある資源を利用し続けるということは、将来的に供給が追いつかなくなる可能性がある。また、天然ガスの採掘が自然破壊をひき起こすことも懸念されている。
本発明は、以上の問題点を解決するためになされたものである。
【課題を解決するための手段】
【０００４】  トイレからつながる下水管の先にタンクを設け、溜まった排泄物を撹拌する装置を内部に、水位センサーを側面に設置する。タンク上部にはモーター、薬剤投入口、製造したガスを送り出すガス管と、余分なガスを排出するガス抜き用パイプを設置し、ガス抜き用パイプの先にはダクトを設ける。タンク下方に排水口を設ける。付近にモーターにつながる充電器とバッテリーを設ける。
以上の構成よりなる自家ガス製造装置。
【発明の効果】
【０００５】  従来、販売店より購入している家庭用ガスを、本発明により各家庭で作り出すことが可能となる。排泄物を利用することで資源を無駄にすることもなく、自然環境にもよい。
【図面の簡単な説明】
【０００６】
【図１】  本発明の全体図
【図２】  本発明の全体図とタンク断面図
【図３】  本発明のタンク内面図
【本発明を実施するための形態】
【０００７】  以下、本発明の実施の形態を説明する。
（イ）トイレ（１）からつながる下水管の先（２）にタンク（３）を設ける。
（ロ）タンク内部にモーター（４）で可動する撹拌装置（５）、タンク側面に水位センサー（６）を設ける。タンク下方に排水口（７）を設け、水位センサーと連動して開閉する栓（８）をタンクとの間に設置する。
（ハ）タンク上部にモーター、薬剤投入口Ａ（９）薬剤投入口Ｂ（１０）、製造したガスを送り出すガス管（１１）、余分なガスを排出するガス抜き用パイプ（１２）を設置する。
（ニ）薬剤投入口とタンクの間に、撹拌装置と連動して開閉するフタ（１３）を設置する。
（ホ）タンクからつながるガス管の先に、製造したガスを貯蔵できるガスボンベ（１４）を設置する。ガス抜き用パイプの先にはダクト（１５）を設置する。また、ガス抜き用パイプとタンクの間に、ある一定の圧力で開閉する弁（１６）を設ける。
（ヘ）タンク付近に充電器（１７）、バッテリー（１８）を設置し、各装置に電力を供給する。
本発明は以上のような構造である。
本発明を使用するときは、通常通りトイレ（１）を使用し、排泄物は下水管（２）を経由し、タンク（３）内に送り込まれる。２種類の特殊薬剤を薬剤投入口Ａ（９）、薬剤投入口Ｂ（１０）から注入し、排泄物と撹拌装置（５）で混ぜ合わせることで、ガスが発生する。
ガスを発生させるには、排泄物の適切な量が必要となる。排泄物が一定量まで溜まると、水位センサーが感知して、撹拌装置が作動する。また、排泄物が一定量を超えた場合も、水位センサーが感知する。その際は、排水口（７）に設置した栓（８）が開き、水位を適正な位置まで下げる。排水口より放出した排泄物は下水道、もしくは浄化槽に流れ出る。
また、撹拌装置と薬剤投入口の下方に設置してあるフタ（１３）は連動しており、撹拌装置が作動中は、一定の間隔で開閉し、自動的に適量の特殊薬剤をタンク内に注入する。
生成したガスは、ガス管（１１）を通り、ガスボンベ（１４）に一時蓄積され、その後、各家庭で使用可能な状態で送り出される。また、ガスが余剰に発生した際は、内圧に反応して弁（１６）が開き、ガス抜き用パイプ（１２）から外部に放出される。外部に放出される際、ダクト内部で、ガスは無臭で安全な濃度にまで希釈されてから放出される。
各装置を動かすのに必要な電力は、タンク付近に設置した充電器（１７）、バッテリー（１８）から供給されている。
【符号の説明】
【０００８】  １トイレ、２下水管、３タンク、４モーター、５撹拌装置、６水位センサー、８栓、９薬剤投入口Ａ，１０薬剤投入口Ｂ、１１ガス管、１２ガス抜き用パイプ、１３フタ、１４ガスボンベ、１５ダクト、１６弁、１７充電器、１８バッテリー
【図１】
2012224828.tif 000003
【図２】
2012224828.tif 000004
【図３】
2012224828.tif 000005
(57)【要約】【課題】各々のソーラーパネルはシステムとして設置・固定する際、ソーラーパネルの大きさに合わせなおかつ風雪等の気象条件下でも破損しないように、強固なフレームを専用に作成し固定しているものがある。そのフレームは設計・製作のコスト及び製作地からシステムの設置場所までの輸送コストを必要としていた。また、システムの設置場所では、システム全体も暴風雨等に耐える必要性から、コンクリート等による強固な基礎土台を採用しているものがあり、システム全体の設置・撤去・移設も容易、低費用にはできなかった。【解決手段】ソーラーパネル設置場所付近で調達する市販の鋼製単管パイプを斜辺とする三角錐を、頂点を接続する金具により組み立て、その斜辺にソーラーパネルを取付具により固定し、容易・低額で設置・移動・撤去の出来る架台を提供する。【選択図】図１
2012224982.tif 000002
【特許請求の範囲】
【請求項１】
ソーラーパネル設置場所付近で調達する市販の鋼製単管パイプ（Ｃ）を斜辺とする三角錐を、頂点を接続する金具(Ｄ)により組み立て、その斜辺にソーラーパネル(Ａ)を取付具(Ｂ)により固定する。
【発明の詳細な説明】
【技術分野】
【０００１】
本発明は、ソーラーパネルを設置するための架台に関する。
【背景技術】
【０００２】
従来のソーラーパネルの架台は、大きさが異なっている各々のソーラーパネルの大きさに合わせて専用のフレームを作成し固定しているものがある。
【先行技術文献】
【特許文献】
【０００３】
【特許文献１】特開2009-54976
【発明の概要】
【発明が解決しようとする課題】
【０００４】
ソーラーパネルは製品により各々大きさの規格が異なっている。
そのため、あるソーラーパネルを設置・固定する際はソーラーパネルの大きさに合わせ、なおかつ風雪等の気象条件下でも脱落等の破損をしないように強固な金枠を専用に作成し固定しているものがある。
【０００５】
そのフレームは設計・製作のコスト及び製作地からソーラーパネルの設置場所までの輸送コストを必要としていた。
【０００６】
また、ソーラーパネルの設置場所では、ソーラーパネルシステム全体も暴風雨等の気象条件に耐えるため強固な基礎土台を採用しているものがある。
【０００７】
そのためソーラーパネルシステム全体の撤去、移設も非常に大がかりなものとならざるを得なかった。
【課題を解決するための手段】
【０００８】
ソーラーパネル設置場所付近で調達する市販の鋼製単管パイプ（Ｃ）を斜辺とする三角錐を、頂点を接続する金具(Ｄ)により組み立て、その斜辺にソーラーパネル(Ａ)を取付具(Ｂ)により固定する。
【発明の効果】
【０００９】
使用する単管パイプは設置場所付近の資材店等で一般に市販されており入手が容易である。
【００１０】
使用する単管パイプは設置場所付近の資材店等で一般に市販されており製作地から設置場所までの輸送費がかからない。
【００１１】
従来の専用枠が数万円以上するのに比べて単管パイプ及び頂点を接続する金具で構成されるため1万円程度で組み立てることが出来る。
【００１２】
単管パイプ及び頂点を接続する金具で構成されるため組み立てが簡単に、短時間で出来る。
【００１３】
斜辺の単管パイプの長さと三角錐の底辺が同じ長さとなる正四面体として架台を組み立てると、斜辺に固定したソーラーパネルの仰角は二面角よりθ＝で約70°となり、北日本における最も発電効率の悪い冬至の日の最適仰角の近似値となり、ほぼ最適な角度での設置が容易に出来る。
【図面の簡単な説明】
【００１４】
【図１】全体図
【発明を実施するための形態】
【００１５】
ある地点で災害がすでに発生または発生するおそれがあり、その現場を監視するために監視カメラシステムを設置する場合、本発明によるソーラーパネル架台を用いることにより、設置が早急かつ安価になされ、外部電源に頼らず現場で電力を生成し監視カメラシステムを稼働させることが出来る。
【図１】
2012224982.tif 000003
(57)【要約】【課題】本発明は、布地で仕上げた詰衿とカットされた背中に面する布地と、右胸前に面したカットされた布地に面ファスナーを設け、左胸前に面したカットされた布地に面ファスナーを設け、互いの布地を縫い合わせ、面ファスナーを仮着、装着、脱着ができる衿汚れ保護カバーで、舞踊において首回りの化粧が下着の衿、着物の衿に付着を防止することができることが特徴の衿汚れ保護カバーを提供する。【解決手段】  布地の詰衿（５）を設け、右前布地（７）を設け、裏面にファスナーを設け、背布地（６）設け、左前布地（８）を設け、表面に面ファスナーを設け、布地の詰衿（５）を設け、右前布地（７）と背布地（６）左前布地（８）を縫い合わせ、詰衿の下部（５）を、縫い合わせてある右前布地（７）背布地（６）左前布地（８）の上部を縫い合わせ右前布地の端、裏面上、下、に面ファスナーを設け、左前布地端、表面上、下に面ファスナーを設けたことを特徴とする衿汚れ保護カバー。【選択図】図５
2012224970.tif 000002
【特許請求の範囲】
【請求項１】
布地の詰衿（５）を設け、右前布地（７）を設け、裏面に面ファスナーを設け、背布地（６）を設け、左前布地（８）を設け、表面に面ファスナーを設け、布地の詰衿（５）を設け、右前布地（７）と背布地（６）、左前布地（８）を縫い合わせ、詰衿の下部（５）を、縫い合わせてある右前布地（７）、背布地（６）、左前布地（８）の上部を縫い合わせ右前布地の端、裏面上、下、に面ファスナーを設け、左前布地端、表面上、下に面ファスナーを設けたことを特徴とする衿汚れ保護カバー。
【発明の詳細な説明】
【技術分野】
【０００１】  本発明は、布地で仕上げた詰衿とカットされた背に面する布地と右前に面したカットされた布地に面ファスナーを設け、左前に面したカットされた布地に面ファスナーを設け、互いの布地を縫い合わせ、面ファスナーを仮着、装着、脱着ができる衿汚れ保護カバーで、舞踊において首回りの化粧が下着の衿、着物の衿に付着を防止することができる特徴の衿汚れ保護カバーに関するものである。
【背景技術】
【０００２】  従来までは、化粧が着物に付着しないよう着物の衿にタオル、手拭いなどを巻くがすぐ取れてしまうという問題点があった。
着付け技術者の手を借りて着付けを手伝ってもらうことがあった。
たとえば、化粧を施して着付けをするときは、着物の衿に化粧が付着するため、着付け師の手を借りて着物の着用がなされていた、あるいは、一人で着付けをされるときは、個々に対策を考えながら着付けを行っていた。
【発明の概要】
【発明が解決しょうとする課題】
【０００３】  それには、つぎのような問題点があった。
（イ）着物を着用するときは着付けに関する付属品が多く、帯、帯上げ、帯締め、足袋、    草履、などがあり着付けが終了するまでは、首回りに施された化粧が着用される着物    の衿などに付着してしまう。
（ロ）着付けのときに、手ぬぐいタオルなどを衿に巻き付けるが、つぎの着付けの工程に    入ると取れてしまい化粧が着物に付着していた。
（ハ）着付け技術者に着付けを依頼すると高額なお金が掛かった。
本発明は、以上の問題点を解決するためになされたものである。
【課題を解決するための手段】
【０００４】  布地の詰衿（５）を設け、右前布地（７）を設け、裏面に面ファスナーを設け、背布地（６）設け、左前布地（８）を設け、表面に面ファスナーを設ける。
布地の詰衿（５）を設け、右前布地（７）と背布地（６）左前布地（８）を縫い合わせ、詰衿の下部（５）を、縫い合わせてある（７）と背布地（６）左前布地（８）の上部を縫い合わせ右前布地の端、裏面上（１）下（３）に面ファスナーを設け、左前布地端、表面上（２）下（４）に面ファスナーを設ける。
以上のように構成された衿汚れ保護カバーである。
【発明の効果】
【０００５】（イ）衿汚れ保護カバーを使用することにより、着物や衿に化粧が付着しなくなった。
（ロ）汚れを気にしないで着付けが早くできるようになった。
（ハ）衿汚れ保護カバーの取り外しが簡単になった。
【図面の簡単な説明】
【０００６】
【図１】  本発明の衿の表面を示した説明図である。
【図２】  本発明の背中の布地を示した説明図である。
【図３】  本発明の右前の布地を示した説明図である。
【図３】  本発明の左前の布地を示した説明図である。
【図４】  本発明の衿汚れカバーの説明図である。
【図５】  本発明の衿汚れ保護カバーの斜視図である。
【発明を実施するための形態】
【０００７】  以下、本発明の実施の形態を説明する。
布地（Ａ）詰衿（５）を設け、背中布地（６）を設け、右前布地（７）を設け、左前布地（８）を設け、右前布地、裏面、端上に（１）下（３）の面ファスナーを設け、左前布地、表面、端上に（２）下（４）の面ファスナーを設ける。
本発明は、以上のような構造である。
本発明を使用する時は、右前布地（７）と背布地（６）を縫い合わせ、背布地（６）と左前布地（８）を縫い合わせ、右前布地（７）背布地（６）左前布地（８）の縫い合わせてある上部を、詰衿（５）の下部を縫い合わせ、右前布地（７）の裏面端上（１）下（３）に面ファスナーを設け、左前布地（８）の表面端上（２）下（４）に面ファスナーを設け互いに仮着させ装着、脱着を容易にした。
【符号の説明】
【０００８】  １  面ファスナー
２  面ファスナー
３  面ファスナー
４  面ファスナー
５  詰衿
６  背布地
７  右前布地
８  左前布地
【図１】
2012224970.tif 000003
【図２】
2012224970.tif 000004
【図３】
2012224970.tif 000005
【図４】
2012224970.tif 000006
【図５】
2012224970.tif 000007
【手続補正書】
【提出日】平成23年7月4日(2011.7.4)
【手続補正１】
【補正対象書類名】明細書
【補正対象項目名】０００６
【補正方法】変更
【補正の内容】
【０００６】
【図１】本発明の衿の表面を示した説明図である。
【図２】本発明の背中の布地を示した説明図である。
【図３】本発明の右前及び左前の布地を示した説明図である。
【図４】本発明の衿汚れカバーの説明図である。
【図５】本発明の衿汚れカバーの斜視図である。
(57)【要約】【課題】  夏場などは特に、カンを開けたまま置いていると、よく虫が入ることがあり、これらの事件を防ぐものである。【解決手段】カンの飲み口になる上部にふたを設けるものである。【選択図】図１
2012224394.tif 000002
【特許請求の範囲】
【請求項１】
缶の上に、ふたを付けるものである。
開けた缶の飲み口の部分を、次の吸引する時迄ふたを出来るようにしたものである。
【発明の詳細な説明】
【技術分野】
【０００１】  この発明は、開けた蓋に虫が入り込まないように蓋をするものである。
【背景技術】
【０００２】  従来、蓋を開ければ蓋をすることなく置いていたが、虫が飛び込むこともあり、なんとなく安心できなかった。これを解決するためにふたをするものである。
【先行技術文献】
【０００３】
【特許文献１】
【非特許文献１】
【発明の概要】
【発明が解決しようとする課題】
【０００４】  従来のものには、開閉後蓋がなく、ゴミ、虫が混入しやすかったが、これらを防ぐために、フタを設けるものである。
【課題を解決するための手段】
【０００５】  本発明は、カンの蓋の部分に円を４等分にした形の蓋を作り、カンの中心部分に付けるものである。
【発明の効果】
【０００６】  蓋を付けることで、虫の侵入、ゴミの混入を防ぐことが出来、衛生的にすることである。
【図面の簡単な説明】
【０００７】
【図１】カンの上部
【図２】平面図
【発明を実施するための形態】
【０００８】  缶ジュースの上の部分（１）に、開け閉めの出来るふた（２）を付けるものである。
【符号の説明】
【０００９】１  缶の上部
２  飲み口を閉じるふた
【図１】
2012224394.tif 000003
【図２】
2012224394.tif 000004
【図３】
2012224394.tif 000005
【手続補正書】
【提出日】平成23年7月5日(2011.7.5)
【手続補正１】
【補正対象書類名】明細書
【補正対象項目名】０００７
【補正方法】変更
【補正の内容】
【０００７】
【図１】カンの上部
【図２】平面図
【図３】上部補足図
(57)【要約】      （修正有）【課題】塗装用ローラーを箱状の物に１本ずつ立て、ローラーの出し入れを簡単にし、刷毛容器の中にローラー保管具を吊るすか固定する事で持ち運びも容易にしたローラー保管具を提供する。【解決手段】ローラー保管具本体１にローラー８をローラー立て部分５に１本ずつ立て、刷毛保管箱９の中に吊り下げるか固定する事で使用出来る。塗装用ローラー８を刷毛保管箱９にローラー８を１本ずつ立てて入れる事で使用したいローラー８をすぐに取り出す事ができ、底に溜まった塗料が底の穴から落ちる事でローラー８に付着することなく使用する事が出来る。【選択図】図６
2012224393.tif 000002
【特許請求の範囲】
【請求項１】
塗装用ローラーを箱状の物にローラーを１本ずつ入れ、その箱状にした物をシンナーが入った容器に吊り下げるか固定する事でローラーの乾燥をなくし、また、ローラーの出し入れと持ち運びを容易にした、ローラー保管具である。
【発明の詳細な説明】
【技術の分野】
【０００１】本発明は、塗装用ローラーを箱状にした容器に入れ、その容器をシンナー又は水が入った刷毛保管容器の中に吊り下げるか固定する事でローラーの乾燥を防ぐと共に出し入れも簡単にし、持ち運びも容易にした。
【背景技術】
【０００２】従来、塗装用ローラーと刷毛を同じ容器に入れ、保管し持ち運ぶ物はなかった。
【発明が解決しようとする課題】
【０００３】従来は、塗装用ローラーを保管する際には、缶などにシンナーを入れその中にローラーを入れて保管をしていた為、ローラーを数本入れる事でシンナーが汚れ、どこに使用したいローラーがあるのかわからず、棒などで缶の中のローラーを探し出していた。また、ローラーが缶の下に沈む事で、ローラーから溶け出した塗料が再びローラーに付着し硬化するので使用出来なくなる事もあった。
【０００４】塗装用ローラーを持ち運ぶ際、シンナーが入った缶を持ち運ぶのは大変な事であった。
【課題で解決するための手段】
【０００５】塗装用ローラーを箱状にした物にローラーを１本ずつ立てて入れる事で使用したいローラーをすぐに取り出す事ができ、底に溜まった塗料が底の穴から落ちる事でローラーに付着することなく使用する事が出来る。
【０００６】塗装用ローラーを持ち運ぶ際は、刷毛を保管する保管容器に刷毛と同様に吊り下げるか固定し保管する事で持ち運びを容易にした。
【発明が実施するための最良の形態】
【０００７】図６は、ローラー保管具使用状況の断面図であり、９の中に１を吊り下げるか固定する事でローラーの乾燥を防ぎ、持ち運びを容易にした。
【０００８】また、図５の６がある事でローラーどうしを密着させず、ローラーの出し入れも容易にした。
【０００９】図３の４は、ローラーから溶け出した塗料が保管具に溜まらない様にする目的と、保管具を取り出す際に余分なシンナーを抜く為である。
【００１０】図２の３は、図６の７に吊るす為に設けたフック部である。
【図面の簡単な説明】
【００１１】
【図１】ローラー保管具の正面図
【図２】ローラー保管具の側面図
【図３】ローラー保管具の平面図
【図４】ローラー保管具の底面図
【図５】ローラー保管具の断面図
【図６】ローラー保管具の使用状況を示す断面図
【符号の説明】
【００１２】１      保管具本体
２      本体吊り下げ部分
３      本体吊り下げフック部分
４      シンナー、塗料を抜く穴
５      ローラー立て部分
６      ローラー仕切り部分
７      本体を吊り下げる横棒
８      ローラー
９      刷毛保管箱
１０    シンナー、水
１１    刷毛
【図１】
2012224393.tif 000003
【図２】
2012224393.tif 000004
【図３】
2012224393.tif 000005
【図４】
2012224393.tif 000006
【図５】
2012224393.tif 000007
【図６】
2012224393.tif 000008
(57)【要約】【課題】チャイルドシートに座っている子どもは、身動きがとれず、おもちゃや飲み物、お菓子などを取りたくても、手に取ることができず、その都度、大人の手助けが必要であった。本発明は簡単に取り外しができて洗えて持ち運びのできるミニテーブルを提供する。【解決手段】ミニテーブルを取り付け取り外しの可能な挟み具で挟み、挟み具から自在に曲げ伸ばしが出来る支柱を設け、支柱のもう一端にも同様の挟み具を設けたことを特徴とする、簡単に取り外しができて洗えて持ち運びのできるミニテーブル。【選択図】図１
2012224320.tif 000002
【特許請求の範囲】
【請求項１】
ミニテーブルを取り付け取り外しの可能な挟み具で挟み、この挟み具から自在に曲げ伸ばしが出来る支柱を設け、この支柱の他の端にも同様の挟み具を設けた、簡単に取り外しができて洗えて持ち運びのできるミニテーブル。
【発明の詳細な説明】
【技術分野】
【０００１】  本発明は、車中のチャイルドシートや、屋内外でのベビーカーや車椅子の使用時などにおいて、簡単に取り外しができて洗えて持ち運びのできるミニテーブルに関するものである。
【背景技術】
【０００２】  従来、チャイルドシートに乗っている子どもは身動きがとれず、車中に装着されているドリンクホルダーや、足元のバッグなどに手が届かないため、その都度、大人の助けが必要であった。
なお、前の座席から吊り下げて使うミニテーブル（特許文献１、特許文献２参照）や、ボルトで固定して使用する車両用テーブル（特許文献３参照）は、知られている。
【先行技術文献】
【０００３】
【特許文献１】  特開２００６−２６４６５８号公報
【特許文献２】  特開２００１−１０３９０号公報
【特許文献３】  特開２００２−２９３１８３号公報
【発明の概要】
【発明が解決しようとする課題】
【０００４】  チャイルドシートに座っている子どもは、身動きがとれず、おもちゃや飲み物、お菓子などを取りたくても、手に取ることができず、その都度、大人の手助けが必要であった。本発明は以上の問題点を解決するものである。
【課題を解決するための手段】
【０００５】  ミニテーブルを取り付け取り外しの可能な挟み具で挟み、挟み具から自在に曲げ伸ばしが出来る支柱を設け、支柱のもう一端にも同様の挟み具を設ける。
以上の構成よりなる簡単に取り外しができて洗えて持ち運びのできるミニテーブルである。
【発明の効果】
【０００６】  従来、チャイルドシートに座っている子どもは、自分の欲しいものを自分の手で取ることができなかったが、本発明の使用により、大人の手を借りずに、自分でいつでも好きなときに手に取ることが可能になり、子どもの欲求により、ドライバーは運転を妨げられることがなくなり、安全に車で移動できるようになる。
本発明は、車中での子どもによる使用に限らず、車中で大人が食事を取ったり、ポータブルＤＶＤプレーヤーを鑑賞したりするときや、屋内外で、ベビーカーや車椅子に設置するなどし、テーブルのない場所においても、飲み物を飲んで休憩するなど、場所を問わずに使用することができる。
【図面の簡単な説明】
【０００７】
【図１】本発明の斜視図
【図２】本発明のチャイルドシート着用時の斜視図
【図３】本発明のベビーカー着用時の斜視図
【発明を実施するための形態】
【０００８】  以下、本発明の実施の形態を説明する。
（イ）飲み物等を安定させて置くための凹みのあるコップ置き（１）と、凸凹の滑り止め（２）を兼ね備えたミニテーブル（３）を設ける。
（ロ）取り付け取り外しの可能な挟み具（４）から、自在に曲げ伸ばしが出来る支柱（５）を設け、その支柱の反対側の端にも同様の挟み具（６）を設ける。
（ハ）ミニテーブル（３）の側面を、挟み具（４）で挟む。
本発明は以上のような構造である。
本発明を使用するときは、ミニテーブル（３）の側面を、挟み具（４）で挟み、反対側の挟み具（６）をチャイルドシートやベビーカーの座席部分等に挟む。支柱（５）の角度を使いやすくて安全な向きに調整する。ミニテーブル（３）の上に、お菓子やおもちゃ等を乗せたり、コップ置き（１）に飲み物を置いて、子ども自身で食事などをする。
【符号の説明】
【０００９】  １コップ置き、２滑り止め、３ミニテーブル、４挟み具、５支柱、６挟み具、７チャイルドシート、８ベビーカー
【図１】
2012224320.tif 000003
【図２】
2012224320.tif 000004
【図３】
2012224320.tif 000005